【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
（ａ）内燃エンジンにおいて用いるのに好適な基燃料；
（ｂ）液体燃料組成物の重量基準で１０ｐｐｍｗ〜２重量％の範囲の、１種類以上の有機ＵＶフィルター化合物；及び
（ｃ）液体燃料組成物の重量基準で０．００１重量％〜０．５重量％の範囲の、グリコールと安息香酸のエステル、モノアルコールと安息香酸のエステル、ポリアルコールと安息香酸のエステル、Ｃ４〜Ｃ１８分岐又は直鎖モノカルボン酸とＣ４〜Ｃ１８分岐又は直鎖モノアルコールの反応によって製造されるモノアルコールとモノカルボン酸のエステル、及びＣ４〜Ｃ１２分岐又は直鎖ジカルボン酸とＣ３〜Ｃ１８分岐又は直鎖モノアルコールの反応によって製造されるモノアルコールとジカルボン酸のエステルから選択される１種類以上のエステル共添加剤化合物；
を含む液体燃料組成物。
【請求項２】
グリコールと安息香酸のエステルが、安息香酸と、モノエチレングリコール、ジエチレングリコール、トリエチレングリコール、モノプロピレングリコール、ジプロピレングリコール、及びこれらの混合物から選択されるグリコールの反応によって製造される、請求項１に記載の液体燃料組成物。
【請求項３】
モノアルコールと安息香酸のエステルが、安息香酸と、Ｃ３〜Ｃ１６分岐鎖モノアルコール又はＣ２〜Ｃ１６直鎖モノアルコールの反応から製造される、請求項１に記載の液体燃料組成物。
【請求項４】
ポリアルコールと安息香酸のエステルが、安息香酸と、グリセロール、ＴＭＰアルコール、ペンタエリトリトール、及びこれらの混合物から選択されるポリアルコールの反応から製造される、請求項１に記載の液体燃料組成物。
【請求項５】
Ｃ４〜Ｃ１８分岐又は直鎖モノカルボン酸が２−エチルヘキサン酸であり、Ｃ４〜Ｃ１２分岐又は直鎖ジカルボン酸がマレイン酸である、請求項１に記載の液体燃料組成物。
【請求項６】
１種類以上の有機ＵＶフィルター化合物が、（ｉ）アルキルβ，β−ジフェニルアクリレート、及び／又はα−シアノ−β，β−ジフェニルアクリレート誘導体；（ｉｉ）サリチル酸誘導体；（ｉｉｉ）桂皮酸誘導体；（ｉｖ）ジベンゾイルメタン誘導体；（ｖ）カンファー誘導体；（ｖｉ）ベンゾフェノン誘導体；（ｖｉｉ）ｐ−アミノ安息香酸誘導体；（ｖｉｉｉ）フェナルキルベンゾエート誘導体；及び（ｉｘ）イミダゾール類、トリアジン類、トリアゾン類、及びトリアゾール類から選択される窒素含有複素環式誘導体；並びにこれらの混合物から選択される、請求項１〜５のいずれかに記載の液体燃料組成物。
【請求項７】
１種類以上の有機ＵＶフィルター化合物と１種類以上のエステル共添加剤化合物との重量比が９０：１０〜１０：９０の範囲である、請求項１〜６のいずれかに記載の液体燃料組成物。
【請求項８】
基燃料がガソリン基燃料又はディーゼル基燃料から選択される、請求項１〜７のいずれかに記載の液体燃料組成物。
【請求項９】
（ｉ）１種類以上の有機ＵＶフィルター化合物；（ｉｉ）グリコールと安息香酸のエステル、モノアルコールと安息香酸のエステル、ポリアルコールと安息香酸のエステル、Ｃ４〜Ｃ１８分岐又は直鎖モノカルボン酸とＣ４〜Ｃ１８分岐又は直鎖モノアルコールの反応によって製造されるモノアルコールとモノカルボン酸のエステル、及びＣ４〜Ｃ１２分岐又は直鎖ジカルボン酸とＣ３〜Ｃ１８分岐又は直鎖モノアルコールの反応によって製造されるモノアルコールとジカルボン酸のエステル、並びにこれらの混合物から選択される１種類以上のエステル共添加剤化合物；並びに１種類以上の洗浄剤；を含む、液体燃料組成物中において用いるのに好適な添加剤ブレンド。
【請求項１０】
セタン価向上剤、腐食抑制剤、及びこれらの混合物から選択される１種類以上の添加剤化合物を更に含む、請求項９に記載の添加剤ブレンド。
【請求項１１】
１種類以上の溶媒を更に含む、請求項９又は請求項１０に記載の添加剤ブレンド。
【請求項１２】
（ａ）内燃エンジンにおいて用いるのに好適な基燃料；
（ｂ）請求項９〜１１のいずれかに記載の添加剤ブレンド；
を含む液体燃料組成物。
【請求項１３】
１種類以上の有機ＵＶフィルター化合物の特に５℃以下の温度での液体燃料組成物中における溶解度を増加させるための、グリコールと安息香酸のエステル、モノアルコールと安息香酸のエステル、ポリアルコールと安息香酸のエステル、Ｃ４〜Ｃ１８分岐又は直鎖モノカルボン酸とＣ４〜Ｃ１８分岐又は直鎖モノアルコールの反応によって製造されるモノアルコールとモノカルボン酸のエステル、及びＣ４〜Ｃ１２分岐又は直鎖ジカルボン酸とＣ３〜Ｃ１８分岐又は直鎖モノアルコールの反応によって製造されるモノアルコールとジカルボン酸のエステルから選択される１種類以上のエステル共添加剤化合物の使用。
【手続補正２】
【補正対象書類名】明細書
【補正対象項目名】０１２０
【補正方法】変更
【補正の内容】
【０１２０】
結論：
実施例１〜１６は、エステル共添加剤を加えることによって、特に−２０℃のような低い温度における１種類以上の有機ＵＶフィルター化合物を含む添加剤ブレンドにおける安定性の向上を与えることができることを示す。
出願時の特許請求の範囲の内容を下記に記載する。
［１］
（ａ）内燃エンジンにおいて用いるのに好適な基燃料；
（ｂ）液体燃料組成物の重量基準で１０ｐｐｍｗ〜２重量％の範囲の、１種類以上の有機ＵＶフィルター化合物；及び
（ｃ）液体燃料組成物の重量基準で０．００１重量％〜０．５重量％の範囲の、グリコールと安息香酸のエステル、モノアルコールと安息香酸のエステル、ポリアルコールと安息香酸のエステル、Ｃ４〜Ｃ１８分岐又は直鎖モノカルボン酸とＣ４〜Ｃ１８分岐又は直鎖モノアルコールの反応によって製造されるモノアルコールとモノカルボン酸のエステル、及びＣ４〜Ｃ１２分岐又は直鎖ジカルボン酸とＣ３〜Ｃ１８分岐又は直鎖モノアルコールの反応によって製造されるモノアルコールとジカルボン酸のエステルから選択される１種類以上のエステル共添加剤化合物；
を含む液体燃料組成物。
［２］
グリコールと安息香酸のエステルが、安息香酸と、モノエチレングリコール、ジエチレングリコール、トリエチレングリコール、モノプロピレングリコール、ジプロピレングリコール、及びこれらの混合物から選択されるグリコールの反応によって製造される、前記１に記載の液体燃料組成物。
［３］
モノアルコールと安息香酸のエステルが、安息香酸と、Ｃ３〜Ｃ１６分岐鎖モノアルコール又はＣ２〜Ｃ１６直鎖モノアルコールの反応から製造される、前記１に記載の液体燃料組成物。
［４］
ポリアルコールと安息香酸のエステルが、安息香酸と、グリセロール、ＴＭＰアルコール、ペンタエリトリトール、及びこれらの混合物から選択されるポリアルコールの反応から製造される、前記１に記載の液体燃料組成物。
［５］
Ｃ４〜Ｃ１８分岐又は直鎖モノカルボン酸が２−エチルヘキサン酸であり、Ｃ４〜Ｃ１２分岐又は直鎖ジカルボン酸がマレイン酸である、前記１に記載の液体燃料組成物。
［６］
１種類以上の有機ＵＶフィルター化合物が、（ｉ）アルキルβ，β−ジフェニルアクリレート、及び／又はα−シアノ−β，β−ジフェニルアクリレート誘導体；（ｉｉ）サリチル酸誘導体；（ｉｉｉ）桂皮酸誘導体；（ｉｖ）ジベンゾイルメタン誘導体；（ｖ）カンファー誘導体；（ｖｉ）ベンゾフェノン誘導体；（ｖｉｉ）ｐ−アミノ安息香酸誘導体；（ｖｉｉｉ）フェナルキルベンゾエート誘導体；及び（ｉｘ）イミダゾール類、トリアジン類、トリアゾン類、及びトリアゾール類から選択される窒素含有複素環式誘導体；並びにこれらの混合物から選択される、前記１〜５のいずれかに記載の液体燃料組成物。
［７］
１種類以上の有機ＵＶフィルター化合物と１種類以上のエステル共添加剤化合物との重量比が９０：１０〜１０：９０の範囲である、前記１〜６のいずれかに記載の液体燃料組成物。
［８］
基燃料がガソリン基燃料又はディーゼル基燃料から選択される、前記１〜７のいずれかに記載の液体燃料組成物。
［９］
（ｉ）１種類以上の有機ＵＶフィルター化合物；（ｉｉ）グリコールと安息香酸のエステル、モノアルコールと安息香酸のエステル、ポリアルコールと安息香酸のエステル、Ｃ４〜Ｃ１８分岐又は直鎖モノカルボン酸とＣ４〜Ｃ１８分岐又は直鎖モノアルコールの反応によって製造されるモノアルコールとモノカルボン酸のエステル、及びＣ４〜Ｃ１２分岐又は直鎖ジカルボン酸とＣ３〜Ｃ１８分岐又は直鎖モノアルコールの反応によって製造されるモノアルコールとジカルボン酸のエステル、並びにこれらの混合物から選択される１種類以上のエステル共添加剤化合物；並びに１種類以上の洗浄剤；を含む、液体燃料組成物中において用いるのに好適な添加剤ブレンド。
［１０］
セタン価向上剤、腐食抑制剤、及びこれらの混合物から選択される１種類以上の添加剤化合物を更に含む、前記９に記載の添加剤ブレンド。
［１１］
１種類以上の溶媒を更に含む、前記９又は１０に記載の添加剤ブレンド。
［１２］
（ａ）内燃エンジンにおいて用いるのに好適な基燃料；
（ｂ）前記９〜１１のいずれかに記載の添加剤ブレンド；
を含む液体燃料組成物。
［１３］
１種類以上の有機ＵＶフィルター化合物の特に５℃以下の温度での液体燃料組成物中における溶解度を増加させるための、グリコールと安息香酸のエステル、モノアルコールと安息香酸のエステル、ポリアルコールと安息香酸のエステル、Ｃ４〜Ｃ１８分岐又は直鎖モノカルボン酸とＣ４〜Ｃ１８分岐又は直鎖モノアルコールの反応によって製造されるモノアルコールとモノカルボン酸のエステル、及びＣ４〜Ｃ１２分岐又は直鎖ジカルボン酸とＣ３〜Ｃ１８分岐又は直鎖モノアルコールの反応によって製造されるモノアルコールとジカルボン酸のエステルから選択される１種類以上のエステル共添加剤化合物の使用。